(57)【要約】【課題】ジッタ量の検出精度を向上させることを課題とする。【解決手段】ビデオデコーダ１では、アナログビデオ信号をサンプリングすることによりデジタル信号に変換し、サンプリングしたデジタル値のうち、水平同期信号の前縁立下りに係る所定の閾値を前後に跨ぐ複数のサンプリング点のデジタル値を用いて、水平同期周波数のジッタ量を算出することで、デジタル回路による処理だけで水平同期周波数のジッタ量を算出することとした。【選択図】図２
2010263378.tif 000002
【特許請求の範囲】
【請求項１】
入力されるアナログビデオ信号が標準信号または非標準信号のいずれであるのかを判別し、その判別結果に応じて標準信号対応または非標準信号対応のデコード処理を切り替えて実行する映像信号処理装置であって、
前記アナログビデオ信号をサンプリングすることによりデジタル信号に変換するＡ／Ｄ変換手段と、
前記Ａ／Ｄ変換手段によってサンプリングされたデジタル値のうち、水平同期信号の前縁立下りに係る所定の閾値を前後に跨ぐ複数のサンプリング点のデジタル値を用いて、水平同期周波数のジッタ量を算出するジッタ量算出手段と
を有することを特徴とする映像信号処理装置。
【請求項２】
前記ジッタ量算出手段は、
前記閾値を前後に跨ぐ複数のサンプリング点のデジタル値を用いて前記閾値を補間点とした補間処理を行うことにより、補間点に対するサンプリング点のズレ量を算出するズレ量算出手段をさらに有し、
前記ズレ量算出手段によって隣接する水平同期信号の前縁立下りそれぞれを対象に算出されたズレ量に基づいて、前記水平同期周波数のジッタ量を算出することを特徴とする請求項１に記載の映像信号処理装置。
【請求項３】
前記Ａ／Ｄ変換手段によって変換されたデジタル信号を所定の分離閾値を用いて同期分離する同期分離手段と、
前記同期分離手段によって分離された水平同期信号の所定周期の間に前記Ａ／Ｄ変換手段に対して発振されるクロックをカウントするクロックカウント手段と、
前記クロックカウント手段によってカウントされたクロック数が所定のクロック数と同一であるか否かを判定するクロック数判定手段と、
前記ジッタ量算出手段によって算出されたジッタ量が所定の許容範囲であるか否かを判定するジッタ量判定手段と、
前記クロック数判定手段によるクロック数の判定結果および前記ジッタ判定手段によるジッタ量の判定結果に基づき、入力されるアナログビデオ信号が前記標準信号または前記非標準信号のいずれであるのかを判別する判別手段とをさらに有することを特徴とする請求項１または２に記載の映像信号処理装置。
【請求項４】
入力されるアナログビデオ信号が標準信号または非標準信号のいずれであるのかを判別し、その判別結果に応じて標準信号対応または非標準信号対応のデコード処理を切り替えて実行する映像信号処理装置に適用する映像信号処理方法であって、
前記アナログビデオ信号をサンプリングすることによりデジタル信号に変換するＡ／Ｄ変換工程と、
前記Ａ／Ｄ変換工程によってサンプリングされたデジタル値のうち、水平同期信号の前縁立下りに係る所定の閾値を前後に跨ぐ複数のサンプリング点のデジタル値を用いて、水平同期周波数のジッタ量を算出するジッタ量算出工程と
を含んだことを特徴とする映像信号処理方法。
【発明の詳細な説明】
【技術分野】
【０００１】
本発明は、入力されるアナログビデオ信号が標準信号または非標準信号のいずれであるのかを判別し、その判別結果に応じて標準モード対応または非標準モード対応のデコード処理を切り替えて実行する映像信号処理装置および映像信号処理方法に関する。
【背景技術】
【０００２】
デコーダに入力されるアナログビデオ信号は、放送波やＤＶＤ等によって供給される標準信号と、ＶＴＲ等によって供給される非標準信号とに大別される。
【０００３】
これらの標準信号と非標準信号の間では、デコーダで実行される同期検出やデコードの処理が一部異なるので、デコーダでは、標準信号または非標準信号のうちいずれの信号が入力されたのかを判別する必要がある。
【０００４】
かかる判別を行う技術（従来技術１）としては、水平同期信号とＰＬＬクロックで水平同期周期をカウントした位相差を使用して水平同期周波数のジッタ量を算出し、該算出したジッタ量を閾値判定し、この閾値判定の結果、ジッタ量が閾値よりも大きい場合には非標準信号と判別し、また、ジッタ量が閾値以下である場合には標準信号と判別することが広く行われている。
【０００５】
このような判別に関連する技術として、特許文献１（従来技術２）には、同期乱れを阻止するために垂直同期パルス間隔を測定し、信号ソースを特定してすることが開示されており、また、特許文献２（従来技術３）には、Ａ／Ｄ変換器のサンプリングクロックで水平表示区間をカウントすることが開示されている。
【先行技術文献】
【特許文献】
【０００６】
【特許文献１】特開２００１−２６８５２５号公報
【特許文献２】特開２０００−２９９７９７号公報
【発明の概要】
【発明が解決しようとする課題】
【０００７】
しかしながら、上述した従来技術１〜３では、以下のように、ジッタ量の検出精度が低下するという問題があった。
【０００８】
すなわち、上記の従来技術１では、位相比較器、ループフィルタ、ＶＣＯ（電圧制御発振器）や分周器などの部品を含んでＰＬＬ回路を構成するのが一般的であるが、その中でもループフィルタやＶＣＯは、温度、電圧等の環境の変化やノイズに影響されやすく、その影響で出力にバラつきが生じるので、ジッタ量の検出精度が低下する。
【０００９】
このため、上記の従来技術１では、実際に入力された信号が標準信号であった場合でも非標準信号と判別したり、また、実際に入力された信号が非標準信号であった場合でも標準信号と判別したりなどの誤判定が行われるおそれがある。
【００１０】
さらに、上記の従来技術２は、垂直同期のパルス幅をクロックでカウントするものであり、また、上記の従来技術３は、水平同期信号のクロック数をカウントするものであるが、いずれにおいてもジッタ量として整数のクロック数が得られるに過ぎず、かかる整数のオーダーでクロック数が位相差として得られても、標準信号または非標準信号の信号種別を自動判別することはできない。
【００１１】
そこで、本発明は、上述した従来技術による課題を解消するためになされたものであり、ジッタ量の検出精度を向上させることができる映像信号処理装置および映像信号処理方法を提供することを目的とする。
【課題を解決するための手段】
【００１２】
上述した課題を解決し、目的を達成するために、本発明に係る映像信号処理装置は、入力されるアナログビデオ信号が標準信号または非標準信号のいずれであるのかを判別し、その判別結果に応じて標準信号対応または非標準信号対応のデコード処理を切り替えて実行する映像信号処理装置であって、前記アナログビデオ信号をサンプリングすることによりデジタル信号に変換するＡ／Ｄ変換手段と、前記Ａ／Ｄ変換手段によってサンプリングされたデジタル値のうち、水平同期信号の前縁立下りに係る所定の閾値を前後に跨ぐ複数のサンプリング点のデジタル値を用いて、水平同期周波数のジッタ量を算出するジッタ量算出手段とを有することを特徴とする。
【発明の効果】
【００１３】
本発明によれば、アナログビデオ信号をサンプリングすることによりデジタル信号に変換し、サンプリングしたデジタル値のうち、水平同期信号の前縁立下りに係る所定の閾値を前後に跨ぐ複数のサンプリング点のデジタル値を用いて、水平同期周波数のジッタ量を算出するように構成したので、デジタル処理だけで水平同期周波数のジッタ量を算出することができ、ジッタ量の検出精度を向上させることが可能になるという効果を奏する。
【図面の簡単な説明】
【００１４】
【図１】図１は、本実施例に係るビデオデコーダの構成を示すブロック図である。
【図２】図２は、ズレ量の算出要領を説明するための説明図である。
【図３】図３は、水平同期周波数のジッタ量を判定する判定基準を説明するための説明図である。
【図４】図４は、標準信号または非標準信号の判別要領を説明するための説明図である。
【図５】図５は、本実施例に係るジッタ量判定処理の手順を示すフローチャートである。
【発明を実施するための形態】
【００１５】
以下に添付図面を参照して、本発明に係る映像信号処理装置（以下、ビデオデコーダと記載）及びその映像信号処理方法の好適な実施例を詳細に説明する。
【実施例１】
【００１６】
まず、本実施例に係るビデオデコーダのジッタ量の算出について説明する。本実施例に係るビデオデコーダ１は、外部端子を介して入力されるアナログビデオ信号をＡ／Ｄ変換した後にデコードするものである。
【００１７】
このビデオデコーダ１においては、標準信号または非標準信号のアナログビデオ信号が選択的に入力される。例えば、ビデオデコーダ１を自動車等に搭載して車載装置として構成した場合には、受信装置やＤＶＤ再生装置などの機器から標準信号が入力されたり、また、バックアイカメラやフロントカメラなどの機器から非標準信号が入力されたりする。
【００１８】
かかる入力信号が標準信号である場合には、デコード時における同期検出を非標準信号の場合よりも正確に実行できることから、ビデオデコーダ１においては、入力信号が標準信号または非標準信号のいずれであるのかを判別することが正しい輝度再生を実現する上で重要なファクタとなっている。
【００１９】
これら標準信号または非標準信号の判別にあたって、上記の従来技術１のように、水平同期信号とＰＬＬクロックで水平同期周期をカウントした位相差を使用して水平同期周波数のジッタ量を算出することも想定し得るが、かかる場合には、ＰＬＬ回路におけるループフィルタやＶＣＯの部品バラつきによりジッタ量の検出精度が低下してしまうという問題がある。
【００２０】
そこで、本実施例に係るビデオデコーダ１では、アナログビデオ信号をサンプリングすることによりデジタル信号に変換し、サンプリングしたデジタル値のうち、水平同期信号の前縁立下りに係る所定の閾値を前後に跨ぐ複数のサンプリング点のデジタル値を用いて、水平同期周波数のジッタ量を算出することとした。
【００２１】
これによって、本実施例では、外部部品であるＰＬＬ回路の部品バラつきの影響を受けることなく、デジタル回路による処理だけで水平同期周波数のジッタ量を算出することができる。
【００２２】
さらに、本実施例では、閾値を前後に跨ぐ複数のサンプリング点のデジタル値を用いて閾値を補間点とした線形補間を行うことにより、閾値に対するサンプリング点のズレ量をそれぞれ算出し、隣接する水平同期信号の前縁立下りそれぞれを対象に算出したズレ量から水平同期周波数のジッタ量を算出するので、整数クロック以下のオーダーでジッタ量を算出することができる。
【００２３】
したがって、本実施例によれば、ジッタの検出精度を向上させることができ、ひいては標準信号／非標準信号の判別を正確に行うことも可能になる。
【００２４】
続いて、本実施例に係るビデオデコーダ１の構成について説明する。図１は、本実施例に係るビデオデコーダの構成を示すブロック図である。なお、図１では、本実施例に係るビデオデコーダ１の特徴を説明するために必要な構成要素のみを示しており、一般的な構成要素（例えば、ＰＬＬ回路など）についての記載を一部省略している。
【００２５】
図１に示すように、ビデオデコーダ１は、ＡＤＣ１１と、デコード部１２と、ＬＰＦ１３と、同期分離部１４と、水平取込基準位置検出部１５と、ジッタ算出部１６と、ＮＧ判定回数カウンタ１７と、標準／非標準切替部１８とを有する。
【００２６】
ＡＤＣ（Analog  Digital  Converter）１１は、アナログ信号をデジタル信号に変換する処理部である。具体的には、図示しないＶＣＯ（電圧制御発振器）等の発振器によって入力されるクロック信号にしたがって、入力されたアナログビデオ信号をサンプリング（標本化）し、該サンプリングしたデジタル値をデコード部１２およびＬＰＦ１３に出力する。
【００２７】
デコード部１２は、デジタルビデオ信号に対してＹｃｂ、Ｃｒ生成処理やＲＧＢ変換処理などのデコード処理を行う処理部である。具体的には、標準信号または非標準信号の間で同期検出およびデコードの処理内容の一部が区別されており、後述する標準／非標準切替部１８によって指示されるモード切替指示に応答して、ＡＤＣ１１によって入力されたデジタル信号に対して標準信号対応または非標準信号対応のデコード処理を切り替えて実行する。
【００２８】
ＬＰＦ（Low  Pass  Filter）１３は、特定の周波数以外の信号を遮断する機能を持つフィルタのうち低域周波数のみを通過させるフィルタである。具体的には、カラーサブキャリア信号などの同期分離には不要となる信号を除去したり、ノイズを除去したりするとともに、高周波成分を除去することにより水平同期信号の前縁立下りをなだらかな斜辺に形成している。
【００２９】
同期分離部１４は、水平同期信号および垂直同期信号を分離する処理部である。具体的には、ＬＰＦ１３によって出力されたビデオ信号の振幅に所定の分離閾値（例えば、水平同期信号の前縁立下りにおける振幅値の５０％である−２０ＩＲＥなど）を基準としたレベル判定を行い、ビデオ信号から水平同期信号及び垂直同期信号を分離する。
【００３０】
水平取込基準位置検出部１５は、水平同期信号を取り込む基準位置を検出する処理部である。具体的には、同期分離部１４によって入力された水平同期信号の前縁立下りを検出し、該検出した水平同期信号の前縁立下りのタイミングをデコード部１２に出力する。
【００３１】
つまり、非標準信号の映像信号がデコード部１２に入力される場合には、図示しないＰＬＬ回路の分周期によって出力されるタイミングではデコード部１２で同期検出を正確に行うことができないので、水平取込基準位置検出部１５では、水平同期信号の立下りのタイミングをラインごとに通知することにより、そのタイミングを映像の開始点としてデコード部１２に認識させる。
【００３２】
ジッタ量算出部１６は、水平同期周波数のジッタ量を算出する算出する処理部であり、水平同期クロックカウンタ１６ａと、ズレ量算出部１６ｂと、ジッタ量判定部１６ｃとを内在する。
【００３３】
水平同期クロックカウンタ１６ａは、ＡＤＣ１１に発振されるクロックをカウントする処理部である。具体的には、同期分離部１４によって水平同期信号が入力されてから次の周期の水平同期信号が入力されるまで、図示しないＶＯＣ等の発振器からＡＤＣ１１にクロックが出力される度にカウンタをインクリメントすることによりＡ／Ｄクロック数をカウントし、次の周期の水平同期信号が入力された時点でそれまでにカウントしたＡ／Ｄクロック数をジッタ量判定部１６ｃに出力するとともにカウンタをリセットし、１水平間のＡ／Ｄクロック数をカウントする処理を繰り返し行う。
【００３４】
なお、本実施例では、１水平間のＡ／Ｄクロック数をカウントする場合について説明するが、Ｎ水平間におけるＡ／Ｄクロック数をカウントし、後段のジッタ量判定部１６ｃでＮ水平間のＡ／Ｄクロック数が所定のクロック数であるか否かを判定させることとしてもかまわない。
【００３５】
ズレ量算出部１６ｂは、補間点に対するサンプリング点のズレ量を算出する処理部である。具体的には、ＬＰＦ１３から入力されるサンプリングデータのうち、分離閾値を前後に跨ぐ複数のサンプリング点を検出し、該検出した複数のサンプリング点のデジタル値を用いて分離閾値を補間点とした線形補間を行うことにより、補間点に対するサンプリング点のズレ量を算出する。
【００３６】
図２は、ズレ量の算出要領を説明するための説明図である。図２では、分離閾値を跨ぐサンプリング点としてα１及びβ１が検出された場合を示しており、分離閾値からα１までの距離をＡ１、分離閾値からβ１までの距離をＢ１、補間点に対するサンプリング点α１のズレ量をＣ１、α１からβ１までの時間間隔をＢ２としている。
【００３７】
図２に示すように、補間点に対するサンプリング点α１のズレ量Ｃ１は、三角形の類似関係によりＡ１：（Ａ１＋Ｂ１）＝Ｃ１：Ｂ２となるので、Ｃ１＝Ａ１×Ｂ２／（Ａ１＋Ｂ１）の演算によりＣ１を算出できるのがわかる。ここで、ＡＤＣ１１の１クロックを単位時間とした時には、Ｂ２＝１と置くことができるので、Ｃ１＝Ａ１／（Ａ１＋Ｂ１）をズレ量の算出式として得ることができる。
【００３８】
したがって、かかるズレ量の算出式にサンプリング点α１及びβ１のデジタル値から得られるＡ１及びＢ１を代入することにより、補間点に対するサンプリング点α１のズレ量Ｃ１を算出することができる。なお、次の周期の水平同期信号におけるサンプリング点α２及びβ２についても上記のズレ量の算出式から同様にしてズレ量Ｃ２を算出することができるのは言うまでもない。
【００３９】
なお、本実施例では、同期分離部１４から供給される分離閾値とし、その分離閾値を補間点とする場合について説明したが、水平同期信号の前縁立下りに含まれる値であれば任意の閾値を用い、その閾値を補間点とすることもできる。
【００４０】
また、本実施例では、分離閾値を前後に跨ぐ２つのサンプリング点のデジタル値を用いて線形補間を行う場合について説明したが、本発明はこれに限定されるものではなく、他の補間方式、たとえばバイキュービック補間等を用いることもできる。
【００４１】
すなわち、図２に示す閾値を立下りに跨ぐ２つのサンプル点、すなわち図中に丸で表記されたα１およびβ２の２つのサンプル点に対するα１点から分離閾値までの時間的な比率をＡ１／（Ａ１＋Ｂ１）＝Ｄとし、このＤの値と閾値の前後４点のデジタル値とから、ズレ量Ｃ１を算出することもできる。
【００４２】
図１の説明に戻り、ジッタ量判定部１６ｃは、水平同期周波数のジッタ量が所定の許容範囲内であるか否かを判定する処理部である。具体的には、水平同期クロックカウンタ１６ａによってカウントされたＡ／Ｄクロック数の妥当性（図３参照）を判定し、Ａ／Ｄクロック数が妥当である場合には、ズレ量算出部１６ｂによって水平同期信号の前縁立下りごとに算出された直近の２つのズレ量を用いて水平同期周波数のジッタ量を算出し、当該ジッタ量が所定の許容範囲内であるか否かを判定する。
【００４３】
これを具体的に説明すると、Ａ／Ｄクロックが２７ＭＨｚであるとした時、入力される映像信号がＮＴＳＣ方式である場合には、ジッタ量判定部１６ｃは、水平同期クロックカウンタ１６ａによってカウントされたＡ／Ｄクロック数が１７１６サイクルであるか否かを判定する。
【００４４】
このとき、Ａ／Ｄクロック数が１７１６サイクルである場合には、ジッタ量の算出に移り、また、Ａ／Ｄクロック数が１７１６以外である場合には、図３に示すように、１クロック以上のジッタ量が発生している旨を検出したことになるので、ジッタ量が大きく非標準信号と類似する信号と判定し、ＮＧ判定回数カウンタ１７をインクリメントする。なお、映像信号がＰＡＬ方式である場合には、Ａ／Ｄクロック数が１７２８サイクルであるか否かを判定する。
【００４５】
このように、本実施例では、水平同期クロックカウンタ１６ａによってカウントされたＡ／Ｄクロック数が信号規格により理論値として規定されるクロック数（ＮＴＳＣ方式：１７１６、ＰＡＬ方式：１７２８）であるか否かを予め判定しておくことにより、１クロック以上の水平ジッタが発生したことをジッタ量の算出以前に判定できるようにしている。
【００４６】
続いて、ジッタ量判定部１６ｃは、Ａ／Ｄクロック数が１７１６サイクルであった場合に、ズレ量算出部１６ｂによって入力されるズレ量Ｃ２と、ズレ量Ｃ２の１周期前の水平同期信号の前縁立下りを対象に算出されたズレ量Ｃ１との差分の絶対値であるジッタ量｜Ｃ１−Ｃ２｜を算出する。なお、ジッタ量判定部１６ｃでは、ズレ量算出部１６ｂによって入力されるＮ周期前までのズレ量までを図示しないレジスタ等で保持しているものとする。
【００４７】
そして、ジッタ量判定部１６ｃは、ジッタ量｜Ｃ１−Ｃ２｜が所定の許容範囲、たとえば図３に示す０ｐｐｍから５０ｐｐｍの範囲内であるか否かを判定し、許容範囲内である場合には、ジッタ量が小さく標準信号と類似する信号（ジッタ量ＯＫ）と判定し、また、許容範囲外である場合には、ジッタ量が大きく非標準信号と類似する信号（ジッタ量ＮＧ）と判定し、ＮＧ判定回数カウンタ１７をインクリメントする。なお、Ａ／Ｄクロックを２７ＭＨｚとし、ジッタ量算出部１６の演算を８ｂｉｔで行うとした場合には、１／２７ＭＨｚ×１／２５６（８ｂｉｔ）＝１４４ｐｓ（＝２．２５ｐｐｍ）単位でジッタ量を検出することができる。
【００４８】
ＮＧ判定回数カウンタ１７は、ジッタ量判定部１６ｃによってジッタ量ＮＧと判定された回数をカウントする処理部である。具体的には、１フレーム間におけるＮＧ判定回数をカウントしており、垂直同期信号を検出してから次の周期の垂直同期信号を検出するまで、ジッタ量判定部１６ｃによってジッタ量ＮＧと判定される度にカウンタをインクリメントすることによりＮＧ判定回数をカウントし、次の周期の垂直同期信号を検出した時点でそれまでにカウントしたＮＧ判定回数を標準／非標準切替部１８に出力するとともにカウンタをリセットし、１フレーム間のＮＧ判定回数をカウントする処理を繰り返し行う。なお、本実施例では、１フレーム間のＮＧ判定回数をカウントする場合について説明するが、Ｎフレーム間におけるＮＧ判定回数をカウントすることとしてもかまわない。
【００４９】
標準／非標準切替部１８は、デコード部１２に対して標準モードまたは非標準モードのモード切替指示を行う処理部である。具体的には、ＮＧ判定回数カウンタ１７によってカウントされたＮＧ判定回数に基づき、入力信号が標準信号または非標準信号であるのかを判別し、その結果、滞在モードとは異なるモードの信号であると判定した場合には、モード切替指示をデコード部１２に出力する。
【００５０】
この標準信号及び非標準信号の判別について具体的に説明すると、例えば、標準／非標準切替部１８は、ＶＳＹＮＣの周期（１フレーム間）でＮＧ判定回数が所定の回数（例えば、３回）以上検出される状態（図４参照）が所定のフレーム数継続した場合に、入力信号が標準信号から非標準信号に切り替わったものと判定し、非標準モードへのモード切替信号をデコード部１２に出力する。なお、標準信号または非標準信号を区分するＮＧ判定回数や監視対象とするフレーム数は、自装置または他装置により任意に設定できる。
【００５１】
また、標準／非標準切替部１８は、ＶＳＹＮＣの周期（１フレーム間）でＮＧ判定回数が所定の回数（例えば、３回）未満しか検出されない状態が所定のフレーム数継続した場合に、入力信号が非標準信号から標準信号に切り替わったものと判定し、標準モードへのモード切替信号をデコード部１２に出力する。
【００５２】
このように、１フレーム間のＮＧ判定回数を蓄積しておき、ＮＧ判定回数が設定値を超えるか否かを複数のフレーム間にわたって監視することで、標準信号および非標準信号を大局的に判別することが可能になる。
【００５３】
例えば、標準信号にノイズが混入して一時的に水平同期ずれが発生した場合や非標準信号のジッタ量が偶発的にゼロに近づいた場合など、実際には、標準信号或いは非標準信号と判別すべき信号を誤判別し、局所的な判別を行うことを防止できる。
【００５４】
なお、本実施例では、複数のフレーム間でＮＧ判定回数を監視して標準信号及び非標準信号を判別する場合について説明したが、本発明はこれに限定されるものではなく、１フレーム間またはＮ水平間のＮＧ判定回数に対し、任意の閾値を設定して標準信号及び非標準信号を判別することもできる。
【００５５】
次に、本実施例に係るビデオデコーダの処理の流れについて説明する。図５は、本実施例に係るジッタ量判定処理の手順を示すフローチャートである。
【００５６】
この処理は、ビデオデコーダ１の電源がＯＮ状態にあり、かつ標準信号または非標準信号の自動判別機能がＯＮ状態に設定されている場合に実行される処理であり、水平同期クロックカウンタ１６ａからジッタ量判定部１６ｃにＡ／Ｄクロック数が入力された場合に開始される。
【００５７】
図５に示すように、ジッタ量判定部１６ｃは、水平同期クロックカウンタ１６ａによってカウントされたＡ／Ｄクロック数が信号規格により理論値として規定されるクロック数（例えば、ＮＴＳＣ方式の場合には１７１６サイクル、ＰＡＬ方式の場合には１７２８サイクル）であるか否かを判定する（ステップＳ５０１）。
【００５８】
ここで、Ａ／Ｄクロック数が規定クロック数であった場合（ステップＳ５０１肯定）には、ジッタ量判定部１６ｃは、ズレ量算出部１６ｂによって入力されるズレ量ＣＮ−１と、ズレ量ＣＮの１周期前の水平同期信号の前縁立下りを対象に算出されたズレ量Ｃ１との差分の絶対値であるジッタ量｜ＣＮ−１−ＣＮ｜を算出する（ステップＳ５０２）。
【００５９】
そして、ジッタ量判定部１６ｃは、ジッタ量｜ＣＮ−１−ＣＮ｜が所定の許容範囲、たとえば図３に示す０ｐｐｍから５０ｐｐｍの範囲内であるか否かを判定し（ステップＳ５０３）、許容範囲内である場合（ステップＳ５０３肯定）には、ジッタ量が小さく標準信号と類似する信号（ジッタ量ＯＫ）と判定し（ステップＳ５０４）、処理を終了する。
【００６０】
一方、Ａ／Ｄクロック数が規定クロック数でなかった場合（ステップＳ５０１否定）、或いはジッタ量が許容範囲内ではなかった場合（ステップＳ５０３否定）には、ジッタ量判定部１６ｃは、ジッタ量が大きく非標準信号と類似する信号（ジッタ量ＮＧ）と判定し（ステップＳ５０５）、ＮＧ判定回数カウンタ１７をインクリメントし（ステップＳ５０６）、処理を終了する。
【００６１】
上述してきたように、本実施例によれば、アナログビデオ信号をサンプリングすることによりデジタル信号に変換し、サンプリングしたデジタル値のうち、水平同期信号の前縁立下りに係る所定の閾値を前後に跨ぐ複数のサンプリング点のデジタル値を用いて、水平同期周波数のジッタ量を算出するように構成したので、デジタル回路による処理だけで水平同期周波数のジッタ量を算出することができ、ジッタの検出精度を向上させることが可能である。
【００６２】
さらに、本実施例によれば、分離閾値を前後に跨ぐ複数のサンプリング点のデジタル値を用いて分離閾値を補間点とした補間処理を行うことにより、補間点に対するサンプリング点のズレ量を算出し、隣接する水平同期信号の前縁立下りそれぞれを対象に算出されたズレ量に基づいて、水平同期周波数のジッタ量を算出するように構成したので、整数クロック以下のオーダーでジッタ量を正確に算出することが可能である。
【００６３】
なお、上記の実施例では、１水平間の水平同期信号のジッタ量を算出する場合について説明したが、本発明はこれに限定されるものではなく、Ｎ水平間におけるジッタ量を算出するようにしてもかまわない。
【産業上の利用可能性】
【００６４】
以上のように、本発明に係る映像信号処理装置および映像信号処理方法は、ジッタ量の検出精度を向上させる場合に適している。
【符号の説明】
【００６５】
１    ビデオデコーダ
１１    ＡＤＣ
１２    デコード部
１３    ＬＰＦ
１４    同期分離部
１５    水平取込基準位置検出部
１６    ジッタ量算出部
１６ａ  水平同期クロックカウンタ
１６ｂ  ズレ量算出部
１６ｃ  ジッタ量判定部
１７    ＮＧ判定回数カウンタ
１８    標準／非標準切替部
【図１】
2010263378.tif 000003
【図２】
2010263378.tif 000004
【図３】
2010263378.tif 000005
【図４】
2010263378.tif 000006
【図５】
2010263378.tif 000007